(57)【特許請求の範囲】
【請求項１】
外筒部材と、
前記外筒部材の内部に装設されると共に相互に結合される内筒部材と、
前記外筒部材と前記内筒部材との間に形成されるトンネルスペースと、
保護カバー固定リングが本体カバーの内部に装設され、前記保護カバー固定リング及び前記本体カバーは前記内筒部材の外周に覆設されると共に前記トンネルスペース内に位置される保護カバーと、
前記トンネルスペース内に位置され、一端が前記内筒部材に連結され他端が前記保護カバーに連結される昇降部材と、を備え、
前記昇降部材及び前記保護カバーが、前記トンネルスペース内で移動可能であることを特徴とする保護カバーを有するゴルフクラブケース構造。
【請求項２】
前記トンネルスペース内に位置されると共に前記外筒部材に結合されるトンネル固定リングを更に備え、前記保護カバー及び前記昇降部材はトンネル固定リングを通過させることを特徴とする請求項１に記載の保護カバーを有するゴルフクラブケース構造。
【請求項３】
前記内筒部材はフレームと、底体と、複数の支持ロッドと、を備え、
複数の前記支持ロッドの一端はフレームに連結され、前記支持ロッドの他端は前記底体に結合されることを特徴とする請求項１に記載の保護カバーを有するゴルフクラブケース構造。
【請求項４】
前記内筒部材は中空状の収納筒の一端がフレームに連結され、他端が底体に連結され、前記収納筒は一体成形される部材であることを特徴とする請求項１に記載の保護カバーを有するゴルフクラブケース構造。
【請求項５】
前記内筒部材は中空状の収納筒の一端がフレームに連結され、他端が底体に連結され、前記収納筒は２つの半筒体で構成される部材であることを特徴とする請求項１に記載の保護カバーを有するゴルフクラブケース構造。
【請求項６】
前記昇降部材は２つの伸縮ロッドを備え、各前記伸縮桿の一端は前記保護カバーに結合されることを特徴とする請求項１に記載の保護カバーを有するゴルフクラブケース構造。
【請求項７】
前記昇降部材は２組のスライドレール及びスライダーの組み合わせを含み、前記スライダーは前記スライドレールに装設されると共に前記保護カバーに結合されることを特徴とする請求項１に記載の保護カバーを有するゴルフクラブケース構造。
【発明の詳細な説明】
【技術分野】
【０００１】
本発明は、ゴルフクラブケースの分野に関し、より詳しくは、ゴルフクラブケースの保護カバースライド構造に関する。
【背景技術】
【０００２】
従来のゴルフクラブケースにはゴルフクラブを保護する２種類の装置があり、１つはゴルフクラブケース本体の素材をキャップとして用いるものである。ゴルフクラブを使用する場合、まず前記キャップを取り外す。運搬及び保管に際しては、バックルで前記キャップを閉じる。２種類目はポリエチレン製板でハードカバーを成形し、その後連結バックルによりゴルフクラブケースボディと連結させる。ゴルフ場でゴルフクラブを取り出す場合、キャップを取り外す必要がある。
【０００３】
従来の特許文献では、例えば、ゴルフクラブケースが記載されている（例えば、特許文献１参照。）。その構造はケース本体の上端の口枠内部に口枠の軸方向に沿ってスライドするゴルフクラブ保護カバーが設置され、ゴルフクラブ保護カバーと口枠との間にはスライド機構が設けられ、ゴルフクラブ保護カバーはスライド機構により口枠内に連結される。これにより、ゴルフクラブの固定及び保護が実現し、運搬や携帯中のゴルフクラブの毀損や擦過を防ぎ、ゴルフクラブの寿命を延ばす。
【先行技術文献】
【特許文献】
【０００４】
【特許文献１】中国特許第１０２３５７２９４Ｂ号公報
【０００５】
本発明は、このような従来の問題に鑑みてなされたものであり、その目的は、保護カバーがより安定的に平滑に移動する保護カバーを有するゴルフクラブケース構造を提供することにある。
【発明の概要】
【課題を解決するための手段】
【０００６】
上記課題を解決するために、本発明のある態様の保護カバーを有するゴルフクラブケース構造は、
外筒部材と、
前記外筒部材の内部に装設されると共に相互に結合される内筒部材と、
前記外筒部材と前記内筒部材との間に形成されるトンネルスペースと、
保護カバー固定リングが本体カバーの内部に装設され、前記保護カバー固定リング及び前記本体カバーは前記内筒部材の外周に覆設されると共に前記トンネルスペース内に位置される保護カバーと、
前記トンネルスペース内に位置され、一端が前記内筒部材に連結され、他端が前記保護カバーに連結される昇降部材であって、前記昇降部材及び前記保護カバーは前記トンネルスペース内で移動可能であることと、を備える。
【図面の簡単な説明】
【０００７】
【図１】本発明の好適な実施形態に係るゴルフクラブケース及び保護カバーを例示する使用状態である
【図２】本発明のゴルフクラブケース及び保護カバーを例示する分解図である。
【図３】本発明のゴルフクラブケースの組合わせ構成を例示する概略図である。
【図４】本発明の保護カバーが変位される場合を例示する概略図である。
【図５】本発明の他の昇降部材及び保護カバーの組み合わせを例示する概略図である。
【図６】本発明の他の内筒部材を例示する分概略図である。
【図７】本発明のさらなるの他の内筒部材を例示する概略図である。
【図８】本発明のゴルフクラブケースの組合わせ構成を例示する上面概略図である。
【発明を実施するための形態】
【０００８】
本発明における好適な実施の形態について、添付図面を参照して説明する。尚、以下に説明する実施の形態は、実用新案登録請求の範囲に記載された本発明の内容を限定するものではない。また、以下に説明される構成の全てが、本発明の必須要件であるとは限らない。
【０００９】
まず、図１に示されるように、ゴルフクラブケース１０のケース口１２の上方に保護カバー１４が配置される。前記保護カバー１４の上端には開閉可能なカバー１６を有する。前記カバー１６が開かれると、前記保護カバー１４が下に向けて前記ゴルフクラブケース１０内に滑落し、ゴルフクラブ１８が露出する。
【００１０】
また、本実施形態に係るゴルフクラブケース１０は外筒部材２０及び内筒部材３０を備え、前記内筒部材３０は前記外筒部材２０の内部に装設されると共に相互に結合される（図２及び図３参照）。例えば、前記内筒部材３０の底部は前記外筒部材２０の底部に結合される。次いで、適切な外ケース体（図示省略）により前記外筒部材２０の外表面が被覆される。
【００１１】
さらに、前記内筒部材３０はフレームキット形式である。具体的には、前記内筒部材３０はフレーム３２と、底体３４と、複数の支持ロッド３６と、を備える。各前記支持ロッド３６の一端はフレーム３２に連結され、各前記支持ロッド３６の他端は前記底体３４に結合される。前記底体３４は前記外筒部材２０に結合させるために用いられる。
【００１２】
ちなみに、前記内筒部材３０及び前記外筒部材２０の組み合わせ形式により、トンネルスペース５０（図３参照）が前記外筒部材２０と前記内筒部材３０との間に形成される。
【００１３】
本実施形態は前記内筒部材３０及び前記保護カバー１４に結合される昇降部材４０を更に備える。具体的には、前記保護カバー１４は保護カバー固定リング１４２が本体カバー１４４の内部に装設され、前記保護カバー固定リング１４２が前記本体カバー１４４の開口箇所に隣接される。前記昇降部材４０は２つの伸縮ロッド４２を含み、各前記伸縮ロッド４２は相互に直列連結される少なくとも２つのロッド部材を有し、図示されるように、前記伸縮ロッド４２は３つのロッド部材を具備する。そのうちの１つの前記ロッド部材の一端は前記保護カバー１４に結合され、他の前記ロッド部材の一端は前記内筒部材２０の前記底体３４に結合される。
【００１４】
このように、前記昇降部材４０は一端が前記保護カバー１４に結合され、他端が前記内筒部材２０に連結される構成形式となる。次いで、前記保護カバー固定リング１４２及び前記本体カバー１４４が前記内筒部材３０の外周に覆設されると共に前記トンネルスペース５０内に位置され、これにより、前記昇降部材４０及び前記保護カバー１４が前記トンネルスペース５０内に位置される。
【００１５】
本実施形態はトンネル固定リング６０を更に備える。前記トンネル固定リング６０は前記トンネルスペース５０内に位置されると共に前記外筒部材２０に結合される。よって、前記外筒部材２０の開口端が更に堅固になる。また、前記保護カバー１４及び前記昇降部材４０が前記トンネル固定リング６０を通過させる。
【００１６】
なお、図３及び図４を参照すれば、前記外筒部材２０、前記内筒部材３０、前記昇降部材４０、及び前記保護カバー１４の組み合わせ形式により、前記保護カバー１４が前記昇降部材４０と組み合わせられて前記トンネルスペース５０内で移動する。これにより、前記フレーム３２及びゴルフクラブ（図示省略）が遮蔽され、或いは前記フレーム３２及び前記ゴルフクラブが露出される。
【００１７】
図５を参照すれば、前記昇降部材４０はスライドレール４４及びスライダー４６の組み合わせでもよい。本実施形態に係る前記昇降部材４０は２組の前記スライドレール４４及び前記スライダー４６の組み合わせを備え、前記スライドレール４４は前記外筒部材２０または前記内筒部材３０に固定され、前記スライダー４６は前記スライドレール４４に装設されると共に前記保護カバー１４に結合される。これにより、前記保護カバー１４が前記昇降部材４０と組み合わせられて前記トンネルスペース５０内で昇降移動を行う。
【００１８】
図６に示されるように、本実施形態に係る前記内筒部材３０は中空状の収納筒３７の一端が前記フレーム３２に連結され、他端が前記底体３４に連結される。前記収納筒３７は一体成形される部材である。
【００１９】
続いて、図７に示されるように、本実施形態に係る前記内筒部材３０は２つの半筒体３９で構成される中空筒の収納筒３８でもよい。前記収納筒３８の一端は前記フレーム３２に連結され、他端は前記底体３４に連結される。
【００２０】
本実施形態の各形式の昇降部材４０は全て筒状形式の前記収納筒３７及び３８に応用される。前記保護カバー１４は前記昇降部材４０に連結されると共に前記フレーム３２を塞ぐように移動するか、前記フレーム３２を露出させるように移動する。
【００２１】
続いて、図８に示されるように、本発明の実施形態に係る前記フレーム３２の外径は前記底体３４の内径より小さく、適切な配置により前記支持ロッド３６の両端が前記フレーム３２及び前記底体３４に連結され、前記昇降部材４０の一端が前記底体３４に取り付けられ、且つ前記昇降部材４０が前記フレーム３２の外周に対応するように位置される。
【００２２】
従って、本明細書に開示された実施例は、本発明を限定するものではなく、説明するためのものであり、このような実施例によって本発明の思想と範囲が限定されるものではない。本発明の範囲は特許請求の範囲により解釈すべきであり、それと同等の範囲内にある全ての技術は、本発明の権利範囲に含まれるものと解釈すべきである。
【符号の説明】
【００２３】
１０  ゴルフクラブケース
１２  ケース口
１４  保護カバー
１４２  保護カバー固定リング
１４４  本体カバー
１６  カバー
２０  外筒部材
３０  内筒部材
３２  フレーム
３４  底体
３６  支持ロッド
３７  収納筒
３８  収納筒
３９  半筒体
４０  昇降部材
４２  伸縮ロッド
４４  スライドレール
４６  スライダー
５０  トンネルスペース
６０  トンネル固定リング
【要約】
【課題】保護カバーを有するゴルフクラブケース構造を提供する。
【解決手段】本発明に係る保護カバーを有するゴルフクラブケース構造は、外筒部材と、前記外筒部材の内部に装設されると共に相互に結合される内筒部材と、前記外筒部材と前記内筒部材との間に形成されるトンネルスペースと、前記内筒部材の外周に覆設されると共に前記トンネルスペース内に位置される保護カバーと、前記トンネルスペース内に位置され、一端が前記内筒部材に連結され、他端が前記保護カバーに連結される昇降部材であって、前記昇降部材及び前記保護カバーは前記トンネルスペース内で移動可能であることと、を備える。これにより、前記保護カバーが安定的な移動効果を有する。
【選択図】図２【図１】
0006755369.tif 000002
【図２】
0006755369.tif 000003
【図３】
0006755369.tif 000004
【図４】
0006755369.tif 000005
【図５】
0006755369.tif 000006
【図６】
0006755369.tif 000007
【図７】
0006755369.tif 000008
【図８】
0006755369.tif 000009